(57)【要約】【課題】簡便に配管内の清掃を行う。【解決手段】配管内部の清掃が可能な清掃機能付き配管部材１であって、開口部２０と、配管部材１０の内側に設けられ、配管部材１０の軸方向に沿って延びる清掃部材６０と、開口部２０を通って配管部材１０の内外に延びると共に、配管部材１０の内部に対して進退可能に設けられ、配管部材１０の内側の端部が清掃部材６０に連結された操作部材３０と、清掃部材６０と操作部材３０の連結部に設けられた、開口部２０と操作部材３０との間をシールするためのシール部材５０と、を備える。【選択図】図１
2009142715.tif 000002
【特許請求の範囲】
【請求項１】
配管内部の清掃が可能な清掃機能付き配管部材であって、
外周面に設けられた開口部と、
前記配管部材の内側に設けられ、前記配管部材の軸方向に沿って延びる清掃部材と、
前記開口部を通って前記配管部材の内外に延びると共に、前記配管部材の内部に対して進退可能に設けられ、前記配管部材の内側の端部が前記清掃部材に連結された操作部材と、
前記清掃部材と前記操作部材の連結部に設けられた、前記開口部と前記操作部材との間をシールするためのシール部材と、
を備えることを特徴とする清掃機能付配管部材。
【請求項２】
請求項１に記載の清掃機能付配管部材であって、
前記配管部材は、屈曲部を有し、
前記開口部は、前記配管部材の屈曲部の外側に設けられていることを特徴とする清掃機能付き配管部材。
【請求項３】
請求項１又は２に記載の清掃機能付配管部材であって、
前記操作部材は、前記配管部材の外部の箇所に設けられた、回動可能な折畳部を備えることを特徴とする清掃機能付配管部材。
【請求項４】
請求項１〜３の何れかに記載の清掃機能付配管部材であって、
前記配管部材と前記操作部材とを、前記操作部材が前記配管部材から最も引き出された状態で固定する固定部材を備えることを特徴とする清掃機能付配管部材。
【請求項５】
請求項４に記載の清掃機能付配管部材であって、
前記操作部材の所定の箇所にネジ部が形成され、
前記固定部材は、前記ネジ部と螺合するナットであることを特徴とする清掃機能付配管部材。
【発明の詳細な説明】
【技術分野】
【０００１】
本発明は、配管内部が清掃可能である清掃機能付配管部材に関する。
【背景技術】
【０００２】
雨水等を排水するための排水用配管に流入するゴミや落ち葉等の異物、また、河川や海から取水する取水用配管の内壁に付着する貝類等が、多数配管内に流入し付着すると、配管の目詰まりの原因となる。加えて、配管内の錆によっても配管に目詰まりが発生する。特に、配管の屈曲部分においては、目詰まりが発生しやすい。
【０００３】
配管が詰まると、配管継ぎ手部等の配管の一部を取外して配管内を清掃することが必要となる。しかし、清掃の度に配管の一部を取外すのは手間がかかり、また清掃中は水を流すことはできないという課題がある。
【０００４】
さらに、配管継ぎ手部が溶接されていて取外しができない場合には、配管の一部をサンダー等で切断した上で配管内を清掃し、清掃後に溶接している。この場合、配管の切断と溶接に手間がかかり、清掃中は水を流すことができないという問題に加えて、溶接後には溶接部が適切に溶接されたかを検査する必要があり、更に手間がかかるという課題がある。
【０００５】
このような課題に対して、特許文献１には、配管の屈曲継ぎ手部に開閉自在の孔部を設け、孔部から清掃具を挿入することにより配管内を清掃することができる配管システムが開示されている。
【特許文献１】特開２００２−１４７６７９号公報
【発明の開示】
【発明が解決しようとする課題】
【０００６】
一方、本発明は、このような課題に対して、簡便に配管内の清掃を行うことができる清掃機能付配管部材を提供することを目的とする。
【課題を解決するための手段】
【０００７】
第１の発明は、配管内部の清掃が可能な清掃機能付き配管部材であって、
外周面に設けられた開口部と、
前記配管部材の内側に設けられ、前記配管部材の軸方向に沿って延びる清掃部材と、
前記開口部を通って前記配管部材の内外に延びると共に、前記配管部材の内部に対して進退可能に設けられ、前記配管部材の内側の端部が前記清掃部材に連結された操作部材と、
前記清掃部材と前記操作部材の連結部に設けられた、前記開口部と前記操作部材との間をシールするためのシール部材と、
を備えることを特徴とする清掃機能付配管部材である。
【０００８】
第２の発明は、第１の発明に記載の清掃機能付配管部材であって、
前記配管部材は、屈曲部を有し、
前記開口部は、前記配管部材の屈曲部の外側に設けられていることを特徴とする清掃機能付き配管部材である。
【０００９】
第３の発明は、第１又は２の発明に記載の清掃機能付配管部材であって、
前記操作部材は、前記配管部材の外部の箇所に設けられた、回動可能な折畳部を備えることを特徴とする清掃機能付配管部材である。
【００１０】
第４の発明は、第１〜３の発明の何れかに記載の清掃機能付配管部材であって、
前記配管部材と前記操作部材とを、前記操作部材が前記配管部材から最も引き出された状態で固定する固定部材を備えることを特徴とする清掃機能付配管部材である。
【００１１】
第５の発明は、第４の発明に記載の清掃機能付配管部材であって、
前記操作部材の所定の箇所にネジ部が形成され、
前記固定部材は、前記ネジ部と螺合するナットであることを特徴とする清掃機能付配管部材である。
【発明の効果】
【００１２】
本発明によれば、簡便に配管内の清掃を行うことができる。
【発明を実施するための最良の形態】
【００１３】
図１は、本発明の一実施形態である清掃機能付配管部材１を示す図である。同図に示す通り、清掃機能付配管部材１は、配管部材１０、ロッド状の操作部材３０、固定部材としてのナット４０、シール部材としてのＯリング５０、及び、清掃部材６０等を備える。
【００１４】
配管部材１０は、水等の流体を搬送する配管を構成する部材であり、本実施形態では、配管同士を接続する屈曲した配管継手部材として構成されている。
【００１５】
配管部材１０の屈曲部外側には、開口部２０が設けられている。操作部材３０はこの開口部２０を通って、配管部材１０の内外に延びており、配管部材１０に対して進退可能となっている。そして、操作部材３０の配管部材１０の内側の端部には、清掃部材６０が連結されている。なお、開口部２０と操作部材３０との間のクリアランスは僅かであり、後述のように、配管部材１０の清掃時に水を流していても、開口部２０からの水の漏出は最小限に抑えられるようになっている。
【００１６】
清掃部材６０は、配管部材１０の軸方向に延びると共に、配管部材１０と同様に屈曲しており、上記操作部材３０は、清掃部材６０の屈曲部に連結されている。Ｏリング５０は、操作部材３０と清掃部材６０との連結部における操作部材３０の周囲に装着されている。また、清掃部材６０は、配管部材１０の内周断面形状に対応した円弧状の断面形状を有している。したがって、操作部材３０を配管部材１０の内部から最も引き出した状態では、清掃部材６０は配管部材１０の内周面の図中上側及び右側にほぼ当接する。
【００１７】
操作部材３０の外周の、開口部２０を通過する箇所近傍には、ネジ部３２が設けられている。このネジ部３２は、少なくとも操作部材３０を配管部材１０から最も引き出した状態で、ネジ部３２が配管部材１０の外部に現れるような範囲に設けられている。
【００１８】
また、操作部材３０には折畳部３４が設けられている。折畳部３４は、例えば操作部材３０をロッド部材で構成し、このロッド部材をピン接合することにより回動可能に構成されてものであり、操作部材３０が配管部材１０から最も引き出された状態で配管部材１０の外部に位置する箇所に設けられている。
【００１９】
次に、本実施形態の清掃機能付配管部材１の使用方法について説明する。
【００２０】
先ず、清掃機能付配管部材１の清掃機能を使用しない場合は、図２に示すように、操作部材３０を配管部材１０から最も引き出した状態とし、操作部材３０のネジ部３２にナット４０を螺合して、配管部材１０側へ締め付ける。これにより、配管部材１０の清掃部材６０との連結部に設けられたＯリング５０が、配管部材１０の内部側より開口部２０に押し付けられることで、開口部２０がＯリング５０によってシールされる。また、操作部材３０を折畳部３４で回動させて折り畳んだ状態とする。
【００２１】
この状態では、図２に示すように、清掃部材６０が配管部材１０の内周面にほぼ当接するため、清掃部材６０が配管部材１０内の水の流れの障害となることはなく、また、開口部２０がＯリング５０によってシールされるので、配管部材１０の内部を流れる水が開口部２０から外部へ漏れることもない。また、操作部材３０が折畳部３４で折り畳まれているので、操作部材３０が邪魔になることもない。
【００２２】
一方、配管部材１０の内部にゴミが溜まって目詰まりを起こす恐れのある状態になると、作業者は、ナット４０を緩め、操作部材３０を折り畳んだ状態から真っ直ぐに伸ばし、この操作部材３０を配管部材１０に対して進退移動するように操作する。これにより、図３に示すように、清掃部材６０が配管部材１０の内部で移動し、配管内の目詰まり部分に当たって、目詰まりをほぐして、目詰まりを解消できる。このとき、上述のように、操作部材３０と開口部２０との間のクリアランスは小さく、水の漏出は最小限に抑えられるので、この清掃作業は配管部材１０内に水を流した状態のまま行うことができる。したがって、水の流れと清掃部材６０の動きとがあいまって、配管内をより効率的に清掃することができ、配管部材１０内に溜まっていたゴミ等は水によって流し出すことができる。
【００２３】
以上の通り、本実施形態の清掃機能付配管部材１によれば、継ぎ手管を外したり配管を溶断したりすることなく、ナット４０を緩めて操作部材３０を操作するだけで簡便に配管内の清掃を行うことができる。
【００２４】
なお、上記実施形態では、目詰まりが配管の屈曲部で特に生じ易いことから、本発明が屈曲配管継手である配管部材１０に適用された場合について説明したが、本発明は、これに限らず、図４に示すように構成することで、直管状の配管部材にも適用が可能である。
【００２５】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００２６】
【図１】本発明の一実施形態である清掃機能付配管部材１を示す図である。
【図２】清掃機能付配管部材１を使用していない場合の状態を示す図である。
【図３】清掃機能付配管部材１を使用している場合の状態を示す図である。
【図４】本発明の他の実施形態である清掃機能付配管部材１００を示す図である。
【符号の説明】
【００２７】
１  清掃機能付配管部材
１０  配管部材
２０  開口部
３０  操作部材
３２  ネジ部
３４  折畳部
４０  ナット（固定部材）
５０  Ｏリング（シール部材）
６０  清掃部材
【図１】
2009142715.tif 000003
【図２】
2009142715.tif 000004
【図３】
2009142715.tif 000005
【図４】
2009142715.tif 000006